(57)【要約】【課題】  誰でも簡単で安全に扱え、効率良く楽に除雪可能で、しかも、安価で入手し易い雪降し器具及び除雪方法を開発・提供する事にある。【解決手段】  所定長さを有し、屋根の軒先・棟間を移動せずに掻き降し可能な把持棒を設け、且つ、該把持棒一端に下部をＶ字状に折り曲げた金板枠を設け、且つ、該金板枠の下部中央先端側に梃子板と中央部に雪分割用立向仕切板をそれぞれ設け、且つ、該雪分割用立向仕切板のほぼ上端中央部に上下高さ調整可能な案内用橇板を設け、且つ、該金板枠の外周後端側に雪を滑らせて落下させる為の所定長さを有するガイド手段を設け、且つ、雪掻き使用時は使用状況に合わせて把持棒の取付方向を調整し梃子板を手前側にして屋根の棟部から引き掻きながら軒先から棟に向けて切り落とすか、或いは、梃子板を先端側にして軒下地上から押し掻きながら軒先から棟に向けて切り落としガイド手段を使用して滑らせながら除雪するものである。【選択図】  図３
2007191981.tif 000002
【特許請求の範囲】
【請求項１】
家屋等の屋根に積もった雪を掻き降ろす為の器具であって、該器具は所定長さ（Ｌ１）を有し、屋根の軒先（ＥＡ）から棟（ＲＩ）間を移動せずに掻き降し可能な把持棒（１）を設け、且つ、該把持棒（１）の一端に下部をＶ字状に折り曲げた雪切り用金板枠（２）を設け、且つ、該雪切り用金板枠（２）の下部中央先端側に、雪切り用梃子板（３）と中央部に雪分割用立向仕切板（４）をそれぞれ設け、且つ、該雪分割用立向仕切板（４）のほぼ上端中央部に、上下高さ調整可能な案内用橇板（５）を設け、且つ、該雪切り用金板枠（２）の外周後端側に、雪（Ｓ）を滑らせて落下させる為の所定長さ（Ｌ２）を有するビニールシート等のガイド手段（６）を設けた事を特徴とする雪降し器具。
【請求項２】
雪掻き使用時は使用状況に合わせて把持棒（１）の取付方向を調整し、雪切り用梃子板（３）を手前側にして屋根の棟（ＲＩ）部から引き掻きながら軒先（ＥＡ）から棟（ＲＩ）に向けて切り落とすか、或いは、雪切り用梃子板（３）を先端側にして軒下地上から押し掻きながら軒先（ＥＡ）から棟（ＲＩ）に向けて切り落とし、ガイド手段（６）を使用して滑らせながら除雪する事を特徴とする除雪方法。
【発明の詳細な説明】
【技術分野】
【０００１】
この発明は、家屋等の屋根に積もった雪を掻き降ろす為の雪降し器具及び除雪方法に関するものである。
【背景技術】
【０００２】
従来、雪の多い地域では、家屋等の屋根に積もった雪を屋根の上に昇って、スコップ等を使用して雪降しを行っているが、特に近年では高齢化が進み、雪の多い田舎では若者が都会に出払って、お年寄りばかりが残っているというのが現状であり、高齢者にとってこの雪降し作業は大変な重労働で危険を伴うものである。そして、特に最近では雪の日が例年より多く、全国的に雪の降る量も異常な程増加しており、怪我人や死亡者が多発し社会問題にも成っている。
【０００３】
しかし、残念ながら、現状では雪の除雪対策は思うように進んでおらず、何とか高齢者でも、安全で楽に効率良く除雪可能で、しかも、安価で誰でも入手可能な雪降し器具の開発が求められている。
【０００４】
これまでに出願されている雪降し器具の特許文献を参考の為、紹介する。（特許文献１参照。）
【特許文献１】特開平１０−３３１４８４
【発明の開示】
【発明が解決しようとする課題】
【０００５】
そこで、上記課題を解決する為に、この発明は誰でも簡単で安全に扱え、効率良く楽に除雪可能で、しかも、安価で入手し易い雪降し器具及び除雪方法を開発・提供する事にある。
【課題を解決するための手段】
【０００６】
この課題を解決する為の手段として、所定長さを有し、屋根の軒先から棟間を移動せずに掻き降し可能な把持棒を設け、且つ、該把持棒の一端に下部をＶ字状に折り曲げた雪切り用金板枠を設け、且つ、該雪切り用金板枠の下部中央先端側に、雪切り用梃子板と中央部に雪分割用立向仕切板をそれぞれ設け、且つ、該雪分割用立向仕切板のほぼ上端中央部に、上下高さ調整可能な案内用橇板を設け、且つ、該雪切り用金板枠の外周後端側に、雪を滑らせて落下させる為の所定長さを有するビニールシート等のガイド手段を設けた事を特徴とするものである。
【０００７】
又、雪掻き使用時は使用状況に合わせて把持棒の取付方向を調整し、雪切り用梃子板を手前側にして屋根の棟部から引き掻きながら軒先から棟に向けて切り落とすか、或いは、雪切り用梃子板を先端側にして軒下地上から押し掻きながら軒先から棟に向けて切り落とし、ガイド手段を使用して滑らせながら除雪するものである。
【発明の効果】
【０００８】
この発明の効果として、所定長さを有し、屋根の軒先から棟間を移動せずに掻き降し可能な把持棒を設け、且つ、該把持棒の一端に下部をＶ字状に折り曲げた雪切り用金板枠を設け、且つ、該雪切り用金板枠の下部中央先端側に、雪切り用梃子板と中央部に雪分割用立向仕切板をそれぞれ設け、且つ、該雪分割用立向仕切板のほぼ上端中央部に、上下高さ調整可能な案内用橇板を設け、且つ、該雪切り用金板枠の外周後端側に、雪を滑らせて落下させる為の所定長さを有するビニールシート等のガイド手段を設け、且つ、雪掻き使用時は使用状況に合わせて把持棒の取付方向を調整し、雪切り用梃子板を手前側にして屋根の棟部から引き掻きながら軒先から棟に向けて切り落とすか、或いは、雪切り用梃子板を先端側にして軒下地上から押し掻きながら軒先から棟に向けて切り落とし、ガイド手段を使用して滑らせながら除雪する事で、屋根の上に昇って移動する必要がなく、しかも雪の上を橇板を利用して滑らせながら掻き落とす方法の為、非常に安全で誰でも楽に効率良く雪の除雪が出来、又、構造が簡単な為、価格的にも安価に製造出来、誰でも容易に入手可能である等、極めて有益なる効果を奏するものである。
【発明を実施するための最良の形態】
【０００９】
この発明の最良の形態として、一般家屋等の屋根の大きさ（軒先から棟までの寸法）に適合した最適な把持棒の長さを設定し、雪切り用金板枠・雪切り用梃子板・雪分割用立向仕切板・案内用橇板の材質に関しては、安価で、摩擦抵抗が少なく、且つ、軽量で剛性力があり、腐食し難い材料を選定する事が重要である。
【実施例１】
【００１０】
そこで、この発明の一実施例を図１〜図４に基づいて詳述すると、家屋等の屋根に積もった雪を掻き降ろす為の器具であって、該器具は所定長さ（Ｌ１）を有し、屋根の軒先（ＥＡ）から棟（ＲＩ）間を移動せずに掻き降し可能な把持棒（１）を設け、且つ、該把持棒（１）の一端に下部をＶ字状に折り曲げた雪切り用金板枠（２）を設け、且つ、該雪切り用金板枠（２）の下部中央先端側に、雪切り用梃子板（３）と中央部に雪分割用立向仕切板（４）をそれぞれ設け、且つ、該雪分割用立向仕切板（４）のほぼ上端中央部に、上下高さ調整可能な案内用橇板（５）を設け、且つ、該雪切り用金板枠（２）の外周後端側に、雪（Ｓ）を滑らせて落下させる為の所定長さ（Ｌ２）を有するビニールシート等のガイド手段（６）を設けた事を特徴とする雪降し器具から構成される。
【００１１】
又、雪掻き使用時は使用状況に合わせて把持棒（１）の取付方向を調整し、雪切り用梃子板（３）を手前側にして屋根の棟（ＲＩ）部から引き掻きながら軒先（ＥＡ）から棟（ＲＩ）に向けて切り落とすか、或いは、雪切り用梃子板（３）を先端側にして軒下地上から押し掻きながら軒先（ＥＡ）から棟（ＲＩ）に向けて切り落とし、ガイド手段（６）を使用して滑らせながら除雪する事を特徴とする除雪方法。
【００１２】
次に、この発明の材質・寸法形状等、詳細について説明すると、まず把持棒（１）の材質は軽量で腐食し難いアルミ製のパイプで、外形寸法及び長さはφ３５〜４０ｍｍ×４０００〜６０００ｍｍで先端部に雪切り用金板枠（２）を取り付ける為のアルミ製のブラケット（１ａ）が溶着されている。そして、そのブラケット（１ａ）にボルト（Ｂ）・ナット（Ｎ）・ワッシャー（Ｗ）等の係止部材で固着される雪切り用金板枠（２）は、腐食し難く剛性力のあるステンレス鋼を使用し、板厚が０．５〜１．０ｍｍで板幅が約５０ｍｍで、先端側中央部にはブラケットに合わせた取付板（２ａ）を溶着し、下部をＶ字状に折り曲げた五角形状に形成し、雪（Ｓ）を引き掻く際の接触摩擦抵抗を最小限に抑えている。そして、その雪切り用金板枠（２）の下部中央先端側に設けた雪切り用梃子板（３）は、雪掻き後に梃子板（３）を上向きに捏ねて雪の層に割れ目を入れて切り落とす為のものである。更に雪切り用金板枠（２）の中央部には雪分割用立向仕切板（４）を設けて、雪（Ｓ）を引き掻いた際、雪の層が二分割され地上に落下すると同時にバラバラに破壊し易い様に工夫したものである。
【００１３】
又、雪分割用立向仕切板（４）のほぼ上端中央部に設けた案内用橇板（５）は、図１・図３に示す様にアルミ製で板厚が約６ｍｍ程度で前後端部をＲ状に折り曲げて滑り易くし、取り付けはボルト（Ｂ）・ナット（Ｎ）・ワッシャー（Ｗ）等の係止部材を使用し、積雪量に合わせて上下方向に段階的に高さ調整出来る様に調整穴（４ａ）が上下４箇所×左右２列×２枚合せ板の計１６箇所に設けられ、屋根の表面を傷つけない様に成っている。又、橇板（５）を設ける事で、雪掻き深さを均等に保ち、更に引き掻き抵抗を減少させて楽に作業が出来る様に成っている。
【００１４】
次に、雪切り用金板枠（２）の外周後端側に設けたビニールシート等のガイド手段（６）は、図４に示す様に、上部中央を除くほぼ全周を覆う様にしてリベット等の係止手段（Ｒ）で複数箇所を固着し、ビニールシート（６）の全長は屋根の軒先（ＥＡ）から棟（ＲＩ）までの寸法に適合した所定寸法（Ｌ２）に設定されている。
【００１５】
図１〜図４に関しては、引き掻き使用時のものを示し、図１は正面図で、図２は平面図で、図３は右側面図で、図４は図２のａ−ａ矢視断面図である。又、図５は押し掻き使用時の側面図である
【００１６】
次に、この発明の使用方法について説明すると、最初に引き掻きながら除雪する場合は、まず、雪の除雪を行う作業者は命綱（Ｌ）を身体に固着する。そして、図６（Ａ）（Ｂ）に示す様に家屋等の屋根の棟部に昇って足場をしっかり固めて確保し、軒先の雪の上に案内用橇板（５）部を載せて、軒先から棟方向に向けて手前側に引き掻きながら雪を切り、引き掻く抵抗が重く成った時点で把持棒（１）を上方向に持ち上げて梃子板（３）部で捏ねながら雪（Ｓ）を切る。すると、雪（Ｓ）は自重でビニールシート（６）上を滑りながら地上へ落下する。この作業を繰り返し行う事で雪の除雪作業を安全、且つ、楽に行う事が出来る。
【００１７】
一方、軒下地上から押し掻きながら除雪する場合は、図７（Ａ）（Ｂ）に示す様に、上記同様にして軒先（ＥＡ）の雪（Ｓ）の上に案内用橇板（５）部を載せて、軒先（ＥＡ）から棟（ＲＩ）方向に向けて押し掻きながら雪を切り、押し掻く抵抗が重く成った時点で把持棒（１）を下方向に下げて梃子板（３）部で捏ねながら雪（Ｓ）を切る。すると、雪は自重でビニールシート（６）上を滑りながら地上へ落下する。
【産業上の利用可能性】
【００１８】
この発明の雪降し器具は、誰でも簡単で安全に扱え、効率良く楽に除雪可能で、しかも、安価で入手し易い為、多くの市場に寄与する点で産業上の利用可能性を有する。
【図面の簡単な説明】
【００１９】
【図１】この発明の一実施例を示し、引き掻き使用時の正面図である。
【図２】この発明の一実施例を示し、引き掻き使用時の平面図である。
【図３】この発明の一実施例を示し、引き掻き使用時の右側面図である。
【図４】この発明の一実施例を示し、図２のａ−ａ矢視断面図である。
【図５】この発明のその他の実施例を示し、押し掻き使用時の側面図である。
【図６】この発明の使用例を示し、（Ａ）は屋根上の棟部から引き掻き使用時の側面図で、（Ｂ）は図６（Ａ）のａ部拡大詳細図である。
【図７】この発明の使用例を示し、（Ａ）は軒下地上から押し掻き使用時の側面図で、（Ｂ）は図７（Ａ）のａ部拡大詳細図である。
【符号の説明】
【００２０】
１  把持棒
１ａ  ブラケット
２  雪切り用金板枠
２ａ  取付板
３  雪切り用梃子板
４  雪分割用立向仕切板
４ａ  調整穴
５  案内用橇板
６  ビニールシート等のガイド手段
Ｂ  ボルト
Ｎ  ナット
Ｗ  ワッシャー
Ｒ  リベット等の係止手段
Ｌ  命綱
Ｌ１  把持棒の所定長さ
Ｌ２  ガイド手段の所定長さ
ＥＡ  軒先
ＲＩ  棟
【図１】
2007191981.tif 000003
【図２】
2007191981.tif 000004
【図３】
2007191981.tif 000005
【図４】
2007191981.tif 000006
【図５】
2007191981.tif 000007
【図６】
2007191981.tif 000008
【図７】
2007191981.tif 000009